(57)【要約】【課題】信号線数が異なる二つの表示装置を共通の信号線駆動回路で駆動する際の縦スメアを抑制し、低消費電力化を図る。【解決手段】第１の表示装置ＰＮＬ１よりも少ない信号線で構成される第２の表示装置ＰＮＬ２との二つの表示装置を有し、共通の駆動回路ＤＲで駆動される信号線を第１の表示装置の信号線ＤＬｍと第２の表示装置の信号線ＤＬｓで共通とし、当該二つの表示装置ＰＮＬ１とＰＮＬ２とで択一的または同時的に画像の表示を行うようにし、第１の表示装置ＰＮＬ１のみでの表示と第１の表示装置ＰＮＬ１と第２の表示装置ＰＮＬ２の両方で表示をする際にはＮライン（Ｎは１〜の整数）反転駆動モードとし、第２の表示装置でのみ表示する際にはフレーム反転駆動モードで表示する。【選択図】        図１
2004163790.tif 000002
【特許請求の範囲】
【請求項１】
基板上に複数の第１走査線と複数の第１信号線とがマトリクス状に配置され、前記第１走査線と前記第１信号線の交差部に接続された第１スイッチング素子を有する複数の第１画素が形成された第１の表示装置と、
基板上に複数の第２走査線と複数の第２信号線とがマトリクス状に配置され、前記第２走査線と前記第２信号線の交差部に接続された第２スイッチング素子を有する複数の第２画素が形成された第２の表示装置と、
前記第１の表示装置と前記第２の表示装置の表示動作を制御する表示制御装置とを備え、
前記第２の表示装置の前記第２信号線は前記第１の表示装置の第１信号線より少なく、前記第２の表示装置の前記第２信号線は前記第１の表示装置の前記第１信号線に接続され、
前記表示制御装置は、前記第１の表示装置をライン反転モードの駆動で画像を表示し、前記第２の表示装置をライン反転モードの駆動とフレーム反転モードの駆動の両方で画像を表示する表示モード制御回路を具備していることを特徴とする画像表示装置。
【請求項２】
前記表示モード制御回路は、前記第１の表示装置に画像を表示するときは当該第１の表示装置をライン反転モードで駆動し、前記第２の表示装置にのみ画像を表示するときは当該第２の表示装置をフレーム反転モードで駆動することを特徴とする請求項１に記載の画像表示装置。
【請求項３】
前記表示モード制御回路は、前記第１の表示装置にのみ画像を表示するときは当該第１の表示装置をライン反転モードで駆動し、前記第２の表示装置にのみ画像を表示するときは当該第２の表示装置をフレーム反転モードで駆動し、前記第１の表示装置と前記第２の表示装置の両方に画像を表示するときは当該第１と第２の各表示装置を共にライン反転モードで駆動することを特徴とする請求項２に記載の画像表示装置。
【請求項４】
前記表示制御装置は、少なくとも前記第１の表示装置に表示される表示データ容量をもつ画像メモリを有することを特徴とする請求項１乃至３の何れかに記載の画像表示装置。
【請求項５】
第１方向に延在し該第１方向に交差する第２方向に並設された複数の第１走査線と、前記第２方向に延在し前記第１方向に並設された複数の第１信号線とを形成した基板を有する第１の液晶表示パネルと、
前記第１方向に延在し前記第２方向に並設された前記第１走査線より少ない複数の第２走査線と、前記第２方向に延在し前記第１方向に並設された前記第１信号線と接続すると共に当該第１信号線より少ない複数の第２信号線を形成した基板を有する第２の液晶表示パネルと、
前記第１走査線と前記第２走査線に走査信号を供給する走査線駆動回路と、前記第１信号線と前記第２信号線に走査信号を供給する走査線駆動回路と、
少なくとも前記第１の液晶表示パネルに表示される表示データ容量を有する画像メモリと、
前記第１の表示装置と前記第２の表示装置の表示動作を制御する表示制御装置とを備え、
前記表示制御装置は、前記第１の表示装置にのみ画像を表示するときは当該第１の表示装置をライン反転モードで駆動し、前記第２の表示装置にのみ画像を表示するときは当該第２の表示装置をフレーム反転モードで駆動し、前記第１の表示装置と前記第２の表示装置の両方に画像を表示するときは当該第１と第２の各表示装置を共にライン反転モードで駆動する表示モード制御回路を有することを特徴とする画像表示装置。
【発明の詳細な説明】
【０００１】
【発明の属する技術分野】
本発明は、画像表示装置に係り、特に表示データ量が異なる二つの表示画面を持つ表示装置を有し、各表示装置に対して択一的または同時的に画像の表示を可能とした画像表示装置に関する。
【０００２】
【従来の技術】
携帯電話機などの携帯情報端末等の小型機器では、通信情報やコンテンツ情報などの主たる利用情報の表示を行う画面とは別に時刻表示、機器のステータス情報や操作情報、などの簡単な情報を表示する画面を備えることで、利便性や省電力化を達成することが期待されている。例えば、折り畳みタイプの携帯電話機など、本体の二面に画面を有するものなどでの待ち受け状態では、表示データ量が少なく、小サイズ、低消費電力の画面のみ動作状態とし、通信情報の送受操作では必要とされる表示データ量の画面を動作させることで、全体としての低消費電力化が可能となる。
【０００３】
従来、この種の二画面をもつ画像表示装置では、各画面を構成する表示装置を個別の信号線駆動回路を用いて駆動していた。しかし、それぞれ独立して駆動される二つの表示装置を携帯電話機などに組み込むためには制限された筐体内容積が不足し、またそれぞれに有する駆動回路を使用状態に応じて駆動させるための回路も必要となるため、回路構成が複雑になり、コスト高を招く。
【０００４】
これに対し、信号線駆動回路を共通化することで適用機器の小型化、軽量化、および低電力化を実現することが可能である。例えば「特許文献１」に示された液晶表示装置では、表示容量（信号線数）が異なる二つの表示装置として信号線数が異なる第１と第２の液晶表示パネルを用い、表示容量が多い方の信号線を少ない方の液晶表示パネルまで延長させて信号線を共通とし、各液晶表示パネルを共通の信号線駆動回路で駆動するようにしている。
【０００５】
【特許文献１】
特開２００１−６７０４９号公報
【０００６】
【発明が解決しようとする課題】
しかし、上記した画像表示装置では、表示容量が多い第１の表示装置の一部の信号線を延長させて表示容量が少ない第２の表示装置の信号線と共用にしているため、信号線の配線抵抗、浮遊容量、画素容量（液晶表示装置では液晶容量）等が第１の表示装置と第２の表示装置とで異なるものとなる。したがって、第１の表示装置の表示領域で表示を行う際に、第２の表示装置と共用する信号線の表示部分とその他の信号線での表示部分の境界に、所謂縦スメアが発生し、画質を劣化させてしまう。これを解決することが課題の一つとなっていた。
【０００７】
本発明の目的は、共通の駆動回路で駆動される信号線を第１と第２の二つの表示装置で共通として、当該二つの表示装置で択一的または同時的に画像の表示を行うようにして低消費電力化を実現すると共に、第１の表示装置に発生する上記縦スメアを抑制して高品質の画像表示を可能とした低消費電力の画像表示装置を提供することにある。
【０００８】
【課題を解決するための手段】
上記の課題を解決するため、本発明は、第１の表示装置よりも少ない信号線で構成される第２の表示装置との二つの表示装置を有する画像表示装置において、共通の駆動回路で駆動される信号線を第１と第２の二つの表示装置で共通とし、当該二つの表示装置で択一的または同時的に画像の表示を行うようにして第１の表示装置のみでの表示と第１の表示装置と第２の表示装置の二つの表示装置の両方で表示をする際にはＮライン（Ｎは１〜の整数）反転駆動モードとし、第２の表示装置でのみ表示する際には、フレーム反転駆動モードで表示することを特徴とする。
【０００９】
この構成とすることにより、第１の表示装置のみでの表示、または第１の表示装置と第２の表示装置での表示を行う場合に第２の表示装置の画素容量、配線抵抗等の影響で第１の表示装置側に発生する縦スメアをＮライン反転駆動モード、すなわちＮライン交流駆動とすることで抑制することができる。また、第２の表示装置のみで表示を行う場合はフレーム反転駆動モード、すなわちフレーム交流駆動に切り換えることで消費電力を抑制することができる。
【００１０】
このように、本発明によれば、第１と第２の表示装置のそれぞれを駆動するための駆動回路を一つとすることで構成を簡素化でき、かつ少ない信号線で構成される第２の表示装置での表示モードをフレーム反転駆動モードとすることで低消費電力が実現される。
【００１１】
なお、本発明は、上記の構成および後述する実施例の構成に限定されるものではなく、本発明の技術思想を逸脱することなく種々の変更が可能であり、薄膜トランジスタをアクティブ素子としたアクティブマトリクス型の液晶表示装置や有機ＥＬ表示装置、その他の既知のアクティブ素子を用いた画像表示装置にも同様に適用できることは言うまでもない。
【００１２】
【発明の実施の形態】
以下、本発明の具体的な実施の形態について、実施例の図面を参照して詳細に説明する。以下の説明中に参照する図面において、同一機能を有するものは同一の参照符号を付し、重複説明は可能な限り省略する。なお、以下の実施例では薄膜トランジスタをアクティブ素子として用いた液晶表示装置を例として説明する。
【００１３】
図１は本発明による画像表示装置の一実施例の構成を模式的に説明する平面図である。図中、参照符号ＰＮＬ１は第１の表示装置を示し、第１基板ＳＵＢ１ｍと第２基板ＳＵＢ２ｍとの間に液晶層を挟持して構成される。第１の第１基板ＳＵＢ１ｍの主面すなわち第２の基板ＳＵＢ２ｍと対向する内面に、垂直方向（以下ｙ方向）に延在し水平方向（以下ｘ方向）に並設された複数の信号線（データ線、あるいはドレイン線とも称する）ＤＬｍを有する。なお、第１基板ＳＵＢ１ｍの主面すなわち第２基板ＳＵＢ２ｍと対向する内面にｘ方向に延在しｙ方向に並設された多数の走査線（ゲート線）ＧＬｍを有する。
【００１４】
参照符号ＰＮＬ２は第２の表示装置を示し、第１基板ＳＵＢ１ｓと第２基板ＳＵＢ２ｓの間に液晶層が挟持されている。第１の第１基板ＳＵＢ１ｓの主面すなわち第２の基板ＳＵＢ２ｓと対向する内面に、ｙ方向に延在しｘ方向に並設された複数の信号線（上記と同様に、データ線、あるいはドレイン線とも称する）ＤＬｓを有する。この信号線ＤＬｓは第１の表示装置ＰＮＬ１の信号線ＤＬｍの一部（図１の左側にある複数本）に接続し、フレキシブルプリント基板ＦＰＣ１を介して延長した状態に施線される。また、第１基板ＳＵＢ１ｓの主面すなわち第２基板ＳＵＢ２ｓと対向する内面にｘ方向に延在しｙ方向に並設された多数のゲート線ＧＬｓを有する。このゲート線ＧＬｓは、フレキシブルプリント基板ＦＰＣ１を介して第１の表示装置ＰＮＬ１の第１基板ＳＵＢ１ｍ上を引回して配線される。
【００１５】
第２の表示装置ＰＮＬ２のゲート線ＧＬｓと第１の表示装置ＰＮＬ１のゲート線ＧＬｍは駆動回路ＤＲに内蔵された走査線駆動回路で駆動される。第２の表示装置ＰＮＬ２に有するゲート線ＧＬｓの数は第１の表示装置ＰＮＬ１に有するゲート線ＧＬｍの数より少ない。本実施例では、第１と第２の表示装置の解像度（精細度）が同一で、第２の表示装置ＰＮＬ２の画面サイズが第１の表示装置ＰＮＬ１の画面サイズより小さいものとして説明するが、第２の表示装置の解像度が粗い場合も、また逆に第１の表示装置よりも精細な場合もある。
【００１６】
ここでは、第２の表示装置ＰＮＬ２に有する信号線ＤＬｓの数ｎは第１の表示装置ＰＮＬ１に有する信号線ＤＬｍの数ｍより少なく（ｎ＜ｍ）、また第２の表示装置ＰＮＬ２に有するゲート線ＧＬｓの数ｑは第１の表示装置ＰＮＬ１に有する走査線ＧＬｍの数ｐより少ない（ｑ＜ｐ）ため、解像度が同一であれば第２の表示装置ＰＮＬ２の表示画面サイズは第１の表示装置ＰＮＬ１の表示画面サイズより小さくなる。
【００１７】
第１の表示装置ＰＮＬ１の第１基板ＳＵＢ１ｍのｘ方向の第２基板ＳＵＢ２ｍで覆われない部分（図１の下側）辺には駆動回路（半導体チップ）ＤＲが搭載されている。この駆動回路ＤＲは信号線駆動回路と走査線駆動回路を一チップに内蔵する。また、第１の表示装置ＰＮＬ１の表示容量に対応する容量を少なくとも持つフレームメモリ（画像メモリ：ＧＲＡＭ）Ｍを内蔵する。この駆動回路ＤＲは、所謂チップ・オン・グラス（ＣＯＧ）実装されているが、第１基板ＳＵＢ１ｍ上に直接作り込んだものであってもよい。
【００１８】
信号線駆動回路は第１の表示装置ＰＮＬ１の走査線ＧＬｍと第２の表示装置ＰＮＬ２の走査線ＧＬｓに走査信号（ゲート信号）を供給する。すなわち、この信号線駆動回路は第１の表示装置ＰＮＬ１の走査線ＧＬｍと第２の表示装置ＰＮＬ２の走査線ＧＬｓの両方にゲート信号を供給する端子を有する。
【００１９】
駆動回路ＤＲには、フレキシブルプリント基板ＦＰＣ２を介して外部信号源（本体側のＣＰＵ等）から入力する画像データやクロック信号を含む各種タイミング信号に基づいて第１の表示装置ＰＮＬ１と第２の表示装置ＰＮＬ２に画像データを表示するタイミング信号等を生成するタイミングコンバータおよび画像データを格納する画像メモリＭを内蔵している。なお、フレキシブルプリント基板ＦＰＣ２には抵抗やコンデンサ等の電子部品あるいは電源回路（半導体チップ）ＥＰが搭載されている。
【００２０】
第１の表示装置ＰＮＬ１と第２の表示装置ＰＮＬ２の間はフレキシブルプリント基板ＦＰＣ１で接続され、駆動回路ＤＲからの走査信号と画像信号（階調電圧）が供給される。また、第１の表示装置ＰＮＬ１と第２の表示装置ＰＮＬ２の各第２基板ＳＵＢ２ｍ，ＳＵＢ２ｓの内面には３色のカラーフィルタ（ＲＧＢ）と共通電極が形成され、共通電極には共通電極電圧が印加される。カラーフィルタや共通電極は図示を省略してある。
【００２１】
図１に示した実施例の構成において、第１の表示装置ＰＮＬ１の信号線ＤＬｍの一部を第２の表示装置ＰＮＬ２の信号線ＤＬｓに共通とし、駆動回路ＤＲで駆動する。第１の表示装置ＰＮＬ１と第２の表示装置ＰＮＬ２で択一的または同時的に画像の表示を行うようにする。第１の表示装置ＰＮＬ１のみで画像を表示する場合はＮライン（Ｎは１〜の整数）反転駆動モード（Ｎライン交流駆動モード）で駆動する。また、第１の表示装置ＰＮＬ１と第２の表示装置ＰＮＬ２の両方で画像を表示をする際にも同様のＮライン反転駆動モードとする。これに対し、第２の表示装置ＰＮＬ２でのみ画像を表示する際には、フレーム反転駆動モード（フレーム交流駆動モード）で表示する。
【００２２】
図２は本発明の実施例におけるフレーム反転駆動モードにおける駆動回路から出力される主な信号を説明する波形図である。図２において、波形Ｇは走査線への出力信号、波形Ｄは信号線への出力信号、波形ＣＬはラインクロック信号出力を示す。第１の表示装置ＰＮＬ１と第２の表示装置ＰＮＬ２での画像表示は、走査線への出力信号Ｇに同期してラインクロック信号ＣＬで選択された信号線に接続するアクティブ素子（薄膜トランジスタ等、以下薄膜トランジスタとして説明する）を有する画素の信号線に表示データの出力信号Ｄ（階調電圧）が供給される。この出力信号Ｄは図示しない画素クロックで各画素に取り込まれ、画像表示がなされる。
【００２３】
第２の表示装置ＰＮＬ２のみで画像表示を行う場合は、図２に示したように、このフレーム反転駆動モードでは、駆動回路ＤＲに内蔵したフレームメモリＭのに格納された画像１フレームを第２の表示装置ＰＮＬ２の信号線の数ＤＬｓに対応する期間である第２の表示装置ＰＮＬ２での表示期間（図中、サブ側と表記）と第１の表示装置ＰＮＬ１の信号線ＤＬｍの数に対応した期間である第１の表示装置ＰＮＬ１での表示期間（図中、メイン側と表記）とで反転させる。そして、次のフレームではサブ側とメイン側とで表示データの出力信号Ｄの極性をさらに反転させる。なお、このとき、第１の表示装置ＰＮＬ１の信号線ＤＬｍへの出力信号Ｄは「黒」信号とする。
【００２４】
この構成とすることにより、第２の表示装置ＰＮＬ２のみで画像表示を行う場合にフレーム反転駆動モード、すなわちフレーム交流駆動とすることで、信号線の配線抵抗や画素容量等の影響が無関係となり、ライン反転駆動モードにおいて必要な電力が節約され、消費電力を抑制することができる。
【００２５】
図３は本発明の実施例におけるＮライン反転駆動モードにおける駆動回路から出力される主な信号を説明する波形図である。図３における波形の参照符号は図２と同様である。図３において、第１の表示装置ＰＮＬ１のみでの画像表示を行う場合、または第１の表示装置ＰＮＬ１と第２の表示装置ＰＮＬ２で同時的に画像表示を行う場合には、サブ側とメイン側でＮライン毎に極性を反転させて表示を行う。なお、Ｎは１以上、かつ第２の表示装置ＰＮＬ２の信号線ＤＬｓの数以下であり、実際には１ライン〜数ラインとするのが好ましい。
【００２６】
このような駆動モードとすることで、第２の表示装置ＰＮＬ２の配線抵抗や画素容量等の影響で第１の表示装置ＰＮＬ１側の画面上における上記第２の表示装置ＰＮＬ２と共用する信号線とその他の信号線の境界に発生する縦スメアを抑制し、高品質の画像表示を実現することができる。
【００２７】
上記した第１の表示装置ＰＮＬ１と第２の表示装置ＰＮＬ２に選択的に画像を表示するための指令信号は、例えば二画面をもつ画面部折り畳み式携帯電話機に本発明を適用した場合は画面部の開閉を検知するスイッチを設け、その画面部を折り畳んだ状態で第２の表示装置のみに表示させる表示モード選択信号を生成し、画面部を開いた状態で第１の表示装置と第２の表示装置に同時に異なる画像を表示する信号を生成するように構成できる。このとき、第１の表示装置ＰＮＬ１と第２の表示装置ＰＮＬ２に表示する表示データはフレームメモリの領域を上記第１の表示装置ＰＮＬ１と第２の表示装置ＰＮＬ２に対応させて分割しても、また第２の表示装置ＰＮＬ２に表示する表示データを格納するためのメモリを上記フレームメモリとは別途設けてもよい。
【００２８】
図４は本発明による画像表示装置における制御装置の構成例を説明するブロック図である。図４中、参照符号ＣＴＬは表示制御装置で、表示モード制御回路ＤＭＣを内蔵し、適用機器のシステムを構成する中央演算処理装置（ＣＰＵ）からの表示データ、基準クロックを含む各種のタイミング信号等の各種信号ＣＳを入力して画像表示装置の表示を制御する。参照符号Ｍはグラフィックメモリ（ＧＲＡＭ：フレームメモリ）であり、中央演算処理装置（ＣＰＵ）からの表示データを格納する。参照符号ＴＧは中央演算処理装置（ＣＰＵ）から入力する基準クロック等に基づいて第１の表示装置および第２の表示装置での表示に必要な各種のタイミングを発信回路ＯＳＣで発生した基準周波数信号に基づいて生成するタイミング発生回路、ＬＶＧは液晶駆動のための電圧発生回路、ＧＤＲは走査線駆動回路、ＤＤＲは信号線駆動回路である。また、参照符号Ｇは走査線駆動電圧出力、同Ｄは信号線駆動電圧出力を示し、図２および図３の同符号で示す波形に対応する。
【００２９】
表示モード選択信号ＭＣＳは上記した画面部を折り畳んだ状態では第２の表示装置を図２で説明したフレーム反転モードで駆動する指令信号を表示モード制御回路ＤＭＣに与える。また、画面部を開いた状態で第１の表示装置にのみ、または第１の表示装置と第２の表示装置に同時に画像を表示する場合はライン反転モードを選択させる。画面部を開いた状態で第１の表示装置にのみ画像を表示する場合は、第２の表示装置に「黒」信号を供給するか、あるいは第２の表示装置の表示を停止させるスイッチをベット設ける等で実現できる。なお、この表示モード選択信号ＭＣＳを中央演算処理装置（ＣＰＵ）に入力し、上記の表示モード選択信号を各種信号ＣＳの一部として表示制御装置ＣＴＬに与えるようにしてもよい。
【００３０】
表示モード制御回路ＤＭＣは表示モード選択信号ＭＣＳを受けてグラフィックメモリＭの読み出しアドレスを設定し、各表示モードに応じた表示データを信号線駆動回路ＤＤＲに出力させる。一方、表示モード制御回路ＤＭＣは選択された表示モードに従ってタイミング発生回路ＴＧにフレーム反転モードあるいはライン反転モードでのタイミング信号を生成し、走査線駆動回路ＧＤＲと電圧発生回路ＬＶＧに対応する表示モードでの電圧レベルを与える。信号線駆動回路ＤＤＲはグラフィックメモリＧＲＡＭからの表示データと電圧発生回路ＬＶＧからの電圧レベルに基づいて信号線に所要の表示電圧を供給する。また、走査線駆動回路ＧＤＲはタイミング発生回路ＴＧからのタイミング信号と電圧発生回路ＬＶＧからの電圧レベルに基づいて走査線に所要の走査電圧を供給する。
【００３１】
このように、本実施例によれば、第１と第２の表示装置のそれぞれを駆動するための信号線駆動回路を一つとすることで構成を簡素化でき、かつ少ない信号線で構成される第２の表示装置での表示モードをフレーム反転駆動モードとすることで低消費電力が実現される。
【００３２】
図５は本発明による画像表示装置の他の実施例の構成を模式的に説明する平面図である。図中、図１と同一参照符号は同一機能部分に対応する。図１で説明した画像表示装置では、走査線駆動回路ＧＤＲを信号線駆動回路ＤＤＲと同一半導体チップに内蔵させているが、本実施例では、走査線駆動回路ＧＤＲを独立した半導体チップとして第１の表示装置ＰＮＬ１の第１基板ＳＵＢ１ｍに信号線駆動回路ＤＤＲと併置して搭載した。走査線駆動回路ＧＤＲからの走査線は第１の表示装置ＰＮＬ１の第１基板ＳＵＢ１ｍのｙ方向の一辺に沿って引き回され、第２の表示装置ＰＮＬ２にはフレキシブルプリント基板ＦＰＣ１を介して第２の表示装置ＰＮＬ２の第１基板ＳＵＢ１ｓのｙ方向の一辺に沿って引き回されている。その他の構成および動作は前記実施例と同様なので繰り返しの説明は省略する。
【００３３】
本実施例によっても、第１と第２の表示装置のそれぞれを駆動するための信号線駆動回路を一つとすることで構成を簡素化でき、かつ少ない信号線で構成される第２の表示装置での表示モードをフレーム反転駆動モードとすることで低消費電力が実現される。
【００３４】
図６は本発明による画像表示装置の他の実施例の構成を模式的に説明する平面図である。図中、図１と同一参照符号は同一機能部分に対応する。本実施例では、図５における走査線駆動回路ＧＤＲを第１の表示装置ＰＮＬ１を構成する第１基板ＳＵＢ１ｍのｙ方向一辺に搭載した。走査線駆動回路ＧＤＲからの走査線は第１の表示装置ＰＮＬ１の第１基板ＳＵＢ１ｍのｙ方向の一辺に沿って引き回され、第２の表示装置ＰＮＬ２にはフレキシブルプリント基板ＦＰＣ１を介して第２の表示装置ＰＮＬ２の第１基板ＳＵＢ１ｓのｙ方向の一辺に沿って引き回されている。その他の構成および動作は前記実施例と同様なので繰り返しの説明は省略する。
【００３５】
本実施例によっても、第１と第２の表示装置のそれぞれを駆動するための信号線駆動回路を一つとすることで構成を簡素化でき、かつ少ない信号線で構成される第２の表示装置での表示モードをフレーム反転駆動モードとすることで低消費電力が実現される。
【００３６】
図７は本発明による画像表示装置の他の実施例の構成を模式的に説明する平面図である。図中、図１と同一参照符号は同一機能部分に対応する。本実施例では、走査線駆動回路ＧＤＲを第１走査線駆動回路ＧＤＲ１と第２走査線駆動回路ＧＤＲ２の二つに分割し、第１の表示装置ＰＮＬ１を構成する第１基板ＳＵＢ１ｍのｙ方向の対向する二辺に搭載した。第１の表示装置ＰＮＬ１については、第１走査線駆動回路ＧＤＲ１からの走査線は第１の表示装置ＰＮＬ１の第１基板ＳＵＢ１ｍのｙ方向の一方の一辺に沿って引き回され、第２走査線駆動回路ＧＤＲ２からの走査線は第１の表示装置ＰＮＬ１の第１基板ＳＵＢ１ｍのｙ方向の他方の一辺に沿って引き回される。第１の表示装置ＰＮＬ１での走査線は表示領域内で交互に形成されている。
【００３７】
また、第２の表示装置ＰＮＬ２への走査線は第１走査線駆動回路ＧＤＲ１からフレキシブルプリント基板ＦＰＣ１を介して第２の表示装置ＰＮＬ２の第１基板ＳＵＢ１ｓのｙ方向の一辺に沿って引き回されている。その他の構成および動作は前記実施例と同様なので繰り返しの説明は省略する。
【００３８】
本実施例によれば、第１と第２の表示装置のそれぞれを駆動するための信号線駆動回路を一つとすることで構成を簡素化でき、かつ少ない信号線で構成される第２の表示装置での表示モードをフレーム反転駆動モードとすることで低消費電力が実現されると共に、第１の表示装置ＰＮＬ１の表示領域を第１基板ＳＵＢ１ｍの中央に配置でき、適用機器の表示部中央への実装が容易である。
【００３９】
図８は本発明による液晶表示装置を用いた液晶表示モジュールの構成例を説明する展開斜視図である。この液晶表示モジュールに用いる液晶表示装置は前記図６で説明したものに相当する。図８において、第１の表示装置ＰＮＬ１の第１基板ＳＵＢ１ｍには走査線と信号線の交差部に接続された薄膜トランジスタを有する複数の画素で構成される主表示領域ＡＲｍが形成され、走査線駆動回路ＧＤＲと信号線駆動回路ＤＤＲが搭載されている。第１の表示装置ＰＮＬ１の第２基板ＳＵＢ２ｍの主面（内面）にはカラーフィルタＣＦおよび共通電極（図示せず）が形成されている。そして、第１基板ＳＵＢ１ｍと第２基板ＳＵＢ１ｓの間に液晶層が封入されている。さらに、第１基板ＳＵＢ１ｍの背面には第１偏光板ＰＯＬ１、拡散シートやプリズムシートからなる光学補償シートＯＰＳが設置されている。また、第２基板ＳＵＢ２ｍの上面にも偏光板ＰＯＬ２が設置されている。
【００４０】
第１基板ＳＵＢｍ１の周辺には前記した走査線駆動回路ＧＤＲと信号線駆動回路ＤＤＲが搭載され、信号線駆動回路ＤＤＲの搭載辺にフレキシブルプリント基板ＦＰＣ２の一端が接続され、他端の端子ＴＭは図示しない外部信号源（中央演算装置等）に接続される。光学補償シートＯＰＳの背面には、発光ダイオードＬＥＤＡ等の光源と導光板ＧＬＢで構成した照明装置（バックライト）が配置されている。これらの構成要素は下ケースＣＡＳと上ケースＳＨＣで一体化されて液晶表示モジュールが構成されている。
【００４１】
一方、第１の表示装置ＰＮＬ１の一辺には第２の表示装置ＰＮＬ２がフレキシブルプリント基板ＦＰＣ１で接続されている。この第２の表示装置ＰＮＬ２の構造もメインパネルＰＮＬ１の構造に準じたものとなっており、走査線と信号線の交差部に薄膜トランジスタを有する複数の画素で構成される副表示領域ＡＲｓが形成されている。この第２の表示装置ＰＮＬ２は第１の表示装置のようなフルカラー表示でなくてもよく、モノクローム表示とすることもできる。また、その走査線および信号線は前記実施例で説明したように構成されている。このように構成された液晶表示モジュールは携帯電話機や携帯情報端末の表示手段として使用されるが、所謂二画面表示を持つ電子機器であればどのようなものにも適用できる。
【００４２】
図９は本発明による液晶表示装置を用いた液晶表示モジュールの構成例の外観を説明する平面図であり、図８で説明した展開図を組み立てた状態を示す。第１の表示装置ＰＮＬ１は第１基板ＳＵＢ１ｍと第２基板ＳＵＢ２ｍで形成され、その主表示領域ＡＲｍの周辺に半導体チップからなる走査線駆動回路ＧＤＲと信号線駆動回路ＤＤＲが搭載されている。フレキシブルプリント基板ＦＰＣ２にＨＡ抵抗やコンデンサ等の電子部品や電源回路チップを搭載してもよい。
【００４３】
第１の表示装置ＰＮＬ１にフレキシブルプリント基板ＦＰＣ１で第２の表示装置ＰＮＬ２が前記実施例で説明したように接続されている。この第２の表示装置ＰＮＬ２は、例えば、第１の表示装置ＰＮＬ１を主表示画面とした携帯電話機における待ち受け表示や時計表示あるいはメール着信表示等の簡単なデータ表示に用いるような使い方ができる。上記した実施例では、信号線数が少ない第２の表示装置の信号線を第１の表示装置のまとまった領域の一方に偏った一部の延長としてあるが、本発明はこれに限るものではなく、第１の表示装置の中央部分の領域にある信号線を第２の表示装置に延長させることもきる。また、第１の表示装置と第２の表示装置を同一基板上に形成して二画面表示の画像表示装置とすることも可能である。この場合は、前記各実施例における二つの表示装置を接続するフレキシブルプリント基板は不要となる。
【００４４】
なお、上記実施例では、液晶表示装置を例としたが、本発明はこれに限るものではなく、液晶表示装置と同様の画素選択方式で画像を表示する有機ＥＬ表示装置、その他のアクティブマトリクス型表示装置にも同様に適用できる。
【００４５】
【発明の効果】
以上説明したように、本発明によれば、信号線の数が異なる二つの表示装置を共通の駆動回路で駆動する画像表示装置において、当該二つの表示装置を択一的または同時的に選択して画像の表示を行うようにした際の信号線が多い方の表示装置に発生する縦スメアが抑制されるため、高品質の画像表示が可能となり、かつ低消費電力化を実現した画像表示装置を提供することができる。
【図面の簡単な説明】
【図１】本発明による画像表示装置の一実施例の構成を模式的に説明する平面図である。
【図２】本発明の実施例におけるフレーム反転駆動モードにおける駆動回路から出力される主な信号を説明する波形図である。
【図３】本発明の実施例におけるＮライン反転駆動モードにおける駆動回路から出力される主な信号を説明する波形図である。
【図４】本発明による画像表示装置における制御装置の構成例を説明するブロック図である。
【図５】本発明による画像表示装置の他の実施例の構成を模式的に説明する平面図である。
【図６】本発明による画像表示装置の他の実施例の構成を模式的に説明する平面図である。
【図７】本発明による画像表示装置の他の実施例の構成を模式的に説明する平面図である。
【図８】本発明による液晶表示装置を用いた液晶表示モジュールの構成例を説明する展開斜視図である。
【図９】本発明による液晶表示装置を用いた液晶表示モジュールの構成例の外観を説明する平面図である。
【符号の説明】
ＰＮＬ１・・・・第１の表示装置、ＳＵＢ１ｍ・・・・第１の表示装置の第１基板、ＳＵＢ２ｓｍ・・・第１の表示装置の第２基板、ＰＮＬ２・・・・第２の表示装置、ＳＵＢ１ｓ・・・・第２の表示装置の第１基板、ＳＵＢ２ｓ・・・第２の表示装置の第２基板、ＤＬｍ・・・・第１の表示装置の信号線、ＧＬｍ・・・・第１の表示装置の走査線、ＤＬｓ・・・・第２の表示装置の信号線、ＧＬｓ・・・・第２の表示装置の走査線、ＦＰＣ１・・・・第１の表示装置と第２の表示装置を接続するフレキシブルプリント基板、ＦＰＣ２・・・・第１の表示装置と外部信号源を接続するフレキシブルプリント基板、ＤＲ・・・・駆動回路、ＤＤＲ・・・・信号線駆動回路、ＧＤＲ・・・・走査線駆動回路、Ｍ・・・・フレームメモリ（ＧＲＡＭ）、ＥＰ・・・・電子部品、ＣＴＬ・・・・表示制御装置、ＤＭＣ・・・・表示モード制御回路、ＣＳ・・・・表示データや基準クロックを含む各種のタイミング信号等の各種信号、ＯＳＣ・・・・発信回路、ＴＧ・・・・タイミング発生回路、ＬＶＧ・・・・液晶駆動のための電圧発生回路。
【図１】
2004163790.tif 000003
【図２】
2004163790.tif 000004
【図３】
2004163790.tif 000005
【図４】
2004163790.tif 000006
【図５】
2004163790.tif 000007
【図６】
2004163790.tif 000008
【図７】
2004163790.tif 000009
【図８】
2004163790.tif 000010
【図９】
2004163790.tif 000011